(57)【特許請求の範囲】
【請求項１】
トリム本体（１１）の表面所定箇所に装飾シート（１５）を圧着固定する内装トリムにおける装飾シートの圧着方法において、装飾シート（１５）の裏面に粘着剤（１５ａ）が塗工され、更に粘着剤（１５ａ）面に離型紙（１５ｂ）が貼付された装飾シート（１５）を圧着用治具（３０）のセット型（３２）上に離型紙（１５ｂ）が上側にくるようにセットし、このセット型（３２）の型面に沿って真空吸引力により装飾シート（１５）を保持した状態で、離型紙（１５ｂ）を剥離した後、セット型（３２）の装飾シート設置エリアの外周に設けられているセット受け（３３）上にトリム本体（１１）をセットし、トリム本体（１１）を下側に押圧して、セット受け（３３）をセット型（３２）内部に埋没させてトリム本体（１１）と装飾シート（１５）とを仮圧着した後、装飾シート（１５）の外周巻込み部を巻込み処理するトリム本体（１１）と装飾シート（１５）の仮圧着工程と、
装飾シート（１５）を仮圧着したトリム本体（１１）を圧着金型（４０，４１）により所定プレス圧で圧着加工を施す本圧着工程と、
からなることを特徴とする内装トリムにおける装飾シートの圧着方法。
【請求項２】
圧着用治具（３０）におけるセット型（３２）に設けられているセットガイド（３５）により、装飾シート（１５）を圧着用治具（３０）におけるセット型（３２）の適正位置にセットすることを特徴とする請求項１に記載の内装トリムにおける装飾シートの圧着方法。
【請求項３】
圧着用治具（３０）におけるセット型（３２）に作用させる真空吸引力は、６０ｍｍＨｇ以上であることを特徴とする請求項１又は２に記載の内装トリムにおける装飾シートの圧着方法。
【請求項４】
トリム本体（１１）の表面所定箇所に装飾シート（１５）を仮圧着する際に使用する圧着用治具（３０）であって、この圧着用治具（３０）は、支持テーブル（３１）上に取り付けられ、内部空気室（３２ａ）を備え、型面に真空吸引孔（３２ｂ）を有するセット型（３２）と、セット型（３２）の装飾シート（１５）設置エリアの外周に設けられ、支持ロッド（３３ａ）により支持され、下方への押圧力によりセット型（３２）内部に埋没し、常時上方に付勢スプリング（３３ｂ）により付勢されているセット受け（３３）とを備え、上記セット型（３２）における装飾シート（１５）の設置エリアで、かつ装飾シート（１５）の外周巻込み操作と干渉しない位置にセットガイド（３５）が設けられていることを特徴とする圧着用治具。
【請求項５】
トリム本体（１１）の表面所定箇所に装飾シート（１５）を仮圧着する際に使用する圧着用治具（３０）であって、この圧着用治具（３０）は、支持テーブル（３１）上に取り付けられ、内部空気室（３２ａ）を備え、型面に真空吸引孔（３２ｂ）を有するセット型（３２）と、セット型（３２）の装飾シート（１５）設置エリアの外周に設けられ、支持ロッド（３３ａ）により支持され、下方への押圧力によりセット型（３２）内部に埋没し、常時上方に付勢スプリング（３３ｂ）により付勢されているセット受け（３３）とを備えるとともに、仕様の異なる圧着用治具（３０ａ，３０ｂ）が反転テーブル（２６）の表裏面にそれぞれ装着され、該反転テーブル（２６）が治具セット台（２１）に１８０°反転可能に支持されていることを特徴とする圧着用治具。
【発明の詳細な説明】
【０００１】
【発明の属する技術分野】
本発明は、内装トリムにおける装飾シートの圧着方法並びに圧着用治具に関するもので、特に、製品面が曲面であっても、手際良く装飾シートの圧着処理が行なえる内装トリムにおける装飾シートの圧着方法並びに圧着用治具に関する。
【０００２】
【従来の技術】
通常、自動車室内には、各種内装部品が内装されており、図１８に示す自動車用ドアトリム１は、合成樹脂成形体からなるドアトリム本体２の表面所定箇所に装飾シート（中接クロス）３が装着されており、ドアトリム本体２に対してアッパー部分にウエストメンバー２ａ、フロント縁部にフロントエンド２ｂ、下側からリヤ側にかけてドアポケット２ｃを組み付けて構成されている。
【０００３】
そして、通常、ドアトリム本体２に対して装飾シート３を圧着処理した後、上記ウエストメンバー２ａ、フロントエンド２ｂ、ドアポケット２ｃをビス止め、あるいは超音波溶着加工により一体化して、ドアトリム１を製作している。
【０００４】
ところで、ドアトリム本体２に対して、装飾シート３を圧着加工する工程は、図１９に示すように、圧着上下型４，５を使用して行なわれる。すなわち、圧着下型４の所定箇所に装飾シート３をセットするが、この装飾シート３の裏面側には、従来では装飾シート３の裏面に接着剤を塗布し、この接着剤を乾燥処理して行なっていたが、最近では、有機溶剤が作業者の作業環境に好ましくないという面を考慮して、装飾シート３の裏面に粘着剤３ａが塗工され、離型紙３ｂにより粘着剤３ａが露出するのを防止している。
【０００５】
従って、圧着下型４に装飾シート３を適正箇所にセットし、離型紙３ｂを剥離操作した後、圧着上型５の昇降用シリンダ５ａが駆動して、圧着上型５が下死点まで下降して、圧着上型５に予めセットしてあるドアトリム本体２と装飾シート３とが粘着剤３ａを介して一体化される。
【０００６】
【発明が解決しようとする課題】
このように、装飾シート３を粘着剤３ａを介してドアトリム本体２に圧着固定する方法は、接着剤使用のものに比べ、工程数が簡素化でき、しかも、作業環境上も好ましいという利点を備えているものの、離型紙３ｂを剥離操作した後、装飾シート３を圧着下型４にセットするまでに装飾シート３がカール状に変形したり、また、圧着下型４等に接着し、圧着下型４の型面に忠実にセットすることが困難となり、成形不良の大きな要因となっている。
【０００７】
また、製品形状をフラット面でなく曲面状に設定する場合には、装飾シート３がフラット状に復帰しようとするテンションにより、ドアトリム本体２と装飾シート３との間に剥離が生じ易く、テンションを加えずに両者を圧着しようとすると、装飾シート３に弛み、シワ等が発生しやすく、このため、製品の造形自由度に大きな制約を受け、良好な圧着加工が行なえないという問題点が従来から指摘されている。
【０００８】
この発明は、このような問題点を解決するためになされたもので、内装トリムにおける装飾シートの圧着方法並びに圧着用治具において、装飾シートにカール変形等が生じることがなく、型面に追従して精度良くセットでき、複雑な製品の造形面においても、成形不良が生じることなく、装飾シートを手際良く圧着加工できる装飾シートの圧着方法並びに圧着用治具を提供することを目的としている。
【０００９】
【課題を解決するための手段】
上記目的を達成するために、本発明は、トリム本体の表面所定箇所に装飾シートを圧着固定する内装トリムにおける装飾シートの圧着方法において、装飾シートの裏面に粘着剤が塗工され、更に粘着剤面に離型紙が貼付された装飾シートを圧着用治具のセット型上に離型紙が上側にくるようにセットし、このセット型の型面に沿って真空吸引力により装飾シートを保持した状態で、離型紙を剥離した後、セット型の装飾シート設置エリアの外周に設けられているセット受け上にトリム本体をセットし、トリム本体を下側に押圧して、セット受けをセット型内部に埋没させてトリム本体と、装飾シートとを仮圧着した後、装飾シートの外周巻込み部を巻込み処理するトリム本体と装飾シートの仮圧着工程と、装飾シートを仮圧着したトリム本体を圧着金型により所定プレス圧で圧着加工を施す本圧着工程と、からなることを特徴とする。
【００１０】
ここで、内装トリムとしては、ドアトリムやワゴン車のラゲージサイドトリム等に適用できる。トリム本体は、合成樹脂の射出成形体、モールドプレス成形体であり、装飾シートは、クロスや不織布等の布地シート（通気性を有する）が適している。また、装飾シートは、トリム本体に対する接着媒体として粘着剤が使用され、装飾シートの裏面に粘着剤が塗工され、粘着剤面に離型紙が貼付されているものが使用される。
【００１１】
次いで、本発明に係る圧着用治具は、トリム本体の表面所定箇所に装飾シートを仮圧着する際に使用する圧着用治具であって、この圧着用治具は、支持テーブル上に取り付けられ、内部空気室を備え、型面に真空吸引孔を有するセット型と、セット型の装飾シート設置エリアの外周に設けられ、支持ロッドにより支持され、下方への押圧力によりセット型内部に埋没し、常時上方に付勢スプリングにより付勢されているセット受けとを備え、上記セット型における装飾シートの設置エリアで、かつ装飾シートの外周巻込み操作と干渉しない位置にセットガイドが設けられていることを特徴とする。
更に、本発明に係る圧着用治具における別の実施形態においては、トリム本体の表面所定箇所に装飾シートを仮圧着する際に使用する圧着用治具であって、この圧着用治具は、支持テーブル上に取り付けられ、内部空気室を備え、型面に真空吸引孔を有するセット型と、セット型の装飾シート設置エリアの外周に設けられ、支持ロッドにより支持され、下方への押圧力によりセット型内部に埋没し、常時上方に付勢スプリングにより付勢されているセット受けとを備えるとともに、仕様の異なる圧着用治具が反転テーブルの表裏面にそれぞれ装着され、該反転テーブルが治具セット台に１８０°反転可能に支持されていることを特徴とする。
【００１２】
従って、本発明によれば、圧着用治具のセット型の型面に装飾シートを真空吸引力により保持した後、離型紙を剥離操作し、その後、セット型に設けられているセット受け上にトリム本体をセットし、トリム本体を下側に押圧操作することにより、ドアトリム本体に装飾シートを仮圧着するという仮圧着工程を採用したため、セット型に装飾シートをセットして真空吸引力を作用させれば、離型紙を剥離操作する際、装飾シートは粘着剤及び離型紙により非通気性となっているため、装飾シートがカール変形したり、セット型に接着したりすることがない。
【００１３】
更に、装飾シートは、圧着用治具のセット型の型面に追従しているため、圧着後、装飾シートがフラット状に戻ろうとするテンションが加わらず、また、弛み、シワ等が生じない。
【００１４】
【発明の実施の形態】
以下、本発明に係る内装トリムにおける装飾シートの圧着方法並びにそれに使用する圧着用治具の実施形態について、添付図面を参照しながら詳細に説明する。
【００１５】
図１乃至図３は本発明方法を適用して製作した自動車用ドアトリムを示すもので、図１はドアトリムの斜視図、図２は同ドアトリムの断面図、図３は同ドアトリムの分解斜視図である。
【００１６】
また、図４乃至図６は本発明に係る圧着用治具の一実施形態を示すもので、図４は同圧着用治具を備えた圧着装置の構成を示す概要図、図５は圧着用治具の平面図、図６は圧着用治具の断面図である。
【００１７】
更に、図７乃至図１５は本発明方法をドアトリム本体への中接クロスの圧着方法に適用した各工程を示す説明図、図１６，図１７は本発明に係る圧着用治具の別実施形態を適用した圧着装置の正面図並びに側面図である。
【００１８】
図１乃至図３において、自動車用ドアトリム１０の構成について説明すると、自動車用ドアトリム１０は、ドアトリム本体１１のアッパー側にウエストメンバー１２が組み付けられ、フロント側にはフロントエンド１３、下縁からリヤ側に沿ってドアポケット１４が組み付けられ、更に、ドアトリム本体１１の中接部分に装飾シートとしての中接クロス１５を装着して構成されている。
【００１９】
更に詳しくは、ドアトリム本体１１は、図３に示すように、タルクを混入したＰＰ（ポリプロピレン）樹脂のモールドプレス成形体から構成され、ドアトリム１０のベースをなしており、アームレスト部１１ａやスピーカーグリル取付部１１ｂ等が一体成形された複雑な形状に成形されている。
【００２０】
そして、ウエストメンバー１２、フロントエンド１３、ドアポケット１４も同様にタルクを混入したＰＰ樹脂を素材とした射出成形体で構成され、ドアトリム本体１１に対してビス止め固定、あるいは超音波溶着により組付け固定されている。
【００２１】
また、図２に示すように、中接クロス１５は、その裏面に塗工されているアクリル樹脂、ビニル樹脂、ウレタン樹脂等の粘着剤１５ａによりドアトリム本体１１の中接部分に圧着固定されているが、特に、中接クロス１５のリヤ側縁部には、中接クロス１５に外周が包持されるようにブラケット１６が取り付けられている。
【００２２】
上記ドアトリム本体１１に対する各種メンバー１２，１３，１４及び中接クロス１５を取り付ける作業手順としては、ドアトリム本体１１に対して中接クロス１５を粘着剤１５ａを介して圧着加工をした後、ウエストメンバー１２、フロントエンド１３、ドアポケット１４が組み付けられる。
【００２３】
そして、本発明においては、ドアトリム本体１１に対して中接クロス１５を手際良く圧着処理でき、しかも、中接クロス１５設定部分の造形面においても複雑な曲面が選択でき、ドアトリム１０の造形自由度を向上させることが可能である。
【００２４】
次いで、ドアトリム本体１１に対して、中接クロス１５を圧着加工する圧着加工方法を説明する前に、図４乃至図６に基づいて、本発明方法に使用する圧着用治具の構成について説明する。
【００２５】
図４は圧着装置２０の概要を示すもので、圧着装置２０は、治具セット台２１に本発明に係る圧着用治具３０が取り付けられており、隣接位置にブロアセット台２２が位置しており、このブロアセット台２２には、ブロア機２３が収容され、足踏み式スイッチ２４を作業者が踏み込むことにより、ブロア機２３が駆動して、配管２５を通じて圧着用治具３０に真空吸引力が作用するという構成である。
【００２６】
次に、図５，図６に基づいて、治具セット台２１上に取り付けられる圧着用治具の構成ついて説明すると、この圧着用治具３０は、治具セット台２１上に載置される支持テーブル３１上に所望のセット型３２が取り付けられており、このセット型３２は、自動車用ドアトリム１０の中接クロス１５の製品面と同一型面を備えるように、やや湾曲状にカーブした曲面状に設定されている。
【００２７】
そして、このセット型３２は、内部に空気室３２ａが形成され、この空気室３２ａは、配管２５に接続しており、セット型３２には、複数の真空吸引孔３２ｂが開設されている。
【００２８】
この真空吸引孔３２ｂの孔径並びにピッチは、本実施形態においては、真空吸引孔３２ｂの孔径φ５ｍｍ、ピッチ間隔１５ｍｍに設定され、ブロア機２３の駆動により、６０ｍｍＨｇ以上の真空吸引力が作用するようになっている。
【００２９】
更に、このセット型３２には、図５中斜線で示す中接クロス１５のセットエリアの外部にセット受け３３が設けられている。このセット受け３３は、ドアトリム本体１１を載置する機能を備えており、セット受け３３は、図６に示すように支持ロッド３３ａに支持され、支持ロッド３３ａは、セット受け３３がセット型３２内部に埋没するまで下降できるように、上下動可能であり、付勢スプリング３３ｂによりセット受け３３は常時上方にバネ付勢されている。
【００３０】
従って、セット受け３３上面にドアトリム本体１１を載置すれば、セット型３２の型面と距離をおいた状態で保つことができ、ドアトリム本体１１を下方に押し下げれば、セット受け３３がセット型３２内部に埋没するまで下降するため、セット型３２上の中接クロス１５とドアトリム本体１１との圧着が可能となる。
【００３１】
更に、本実施形態では、中接クロス１５に取り付けるブラケット１６のブラケット用セットガイド３４が設けられており、このブラケット用セットガイド３４は、セット型３２に対して起倒可能に取り付けられている。
【００３２】
次いで、図７乃至図１５に基づいて、ドアトリム本体１１に対して中接クロス１５を圧着加工する各工程について説明すると、まず、図７に示すように、圧着用治具３０のセット型３２の型面上に中接クロス１５をその製品表面側を下側に向けてセットする。
【００３３】
このとき、セット型３２上の適正位置に中接クロス１５をロケートするために、図８に示すように、セット型３２に設けられているセットガイド３５を利用すれば、中接クロス１５のセット作業を簡単かつ正確に行なうことができる。尚、このセットガイド３５は、中接クロス１５の外周巻込みエリア以外の部位で、特に凹凸形状となっている部位に設けるのが良い。
【００３４】
そして、中接クロス１５をセット型３２上にセットした後、足踏み式スイッチ２４を踏み込むことにより、セット型３２の真空吸引孔３２ｂを通じて所定の真空吸引力が作用し、中接クロス１５は、粘着剤１５ａ、離型紙１５ｂがあるため、非通気性を備えており、セット型３２の型面上に密着保持される。
【００３５】
次いで、図９に示すように、中接クロス１５の裏面に位置する離型紙１５ｂを剥離操作して、粘着剤１５ａを上面に露出させるが、このとき、離型紙１５ｂの剥離操作により外力が加わっても、中接クロス１５に塗工されている粘着剤１５ａの非通気性により、中接クロス１５はカールしたり、位置ズレすることはないが、ブラケット用セットガイド３４をブラケット１６上に倒し込んで、中接クロス１５をより強固に固定し、また、クランプ３６により、中接クロス１５の端末部分を保持するようにすれば、より確実に中接クロス１５をセット型３２上に保持できる。
【００３６】
その後、図１０に示すように、ブラケット用セットガイド３４を起立させて、セット受け３３上にドアトリム本体１１をセットする。このとき、図１１に示すように、ブラケット１６の外側縁部に沿って中接クロス１５の端末を図示するように巻込み処理しておく。
【００３７】
そして、図１２に示すように、セット受け３３上に支持されているドアトリム本体１１に対して矢印方向に外力を加え、下側に所定圧で押圧し、図１３に示すように、セット受け３３をセット型３２内に埋没させて、中接クロス１５に対してドアトリム本体１１を所定の接触圧で押圧し、粘着剤１５ａを介してドアトリム本体１１に対して中接クロス１５を仮圧着する。
【００３８】
尚、ドアトリム本体１１に対して中接クロス１５を仮圧着した後、図１４（ａ）に示すように、巻込み範囲ａ，ｂについて、図１４（ｂ）に示すように、中接クロス１５の外周巻込み部１５ｃをドアトリム本体１１の外周縁に沿って巻込み処理する。
【００３９】
その後、図１５に示すように、中接クロス１５を仮圧着したドアトリム本体１１を圧着用治具３０から取り外し、圧着用下型４０にセットして、圧着用上型４１を下死点まで下降させて、所定のプレス圧を加えて、ドアトリム本体１１に対して中接クロス１５の本圧着加工を行なう。
【００４０】
このように、本発明方法によれば、圧着用治具３０におけるセット型３２に真空吸引力を作用させることにより、中接クロス１５をセット型３２の型面に密着保持することができるため、離型紙１５ｂの離型操作が手際良く行なえ、製品面が曲面状であっても、セット型３２の型面に忠実に中接クロス１５を保持できるため、ドアトリム本体１１に中接クロス１５を手際良く仮圧着でき、中接クロス１５にカール変形、弛み、シワ等が生じることなく、良好に両者の圧着加工を施すことができる。
【００４１】
また、ドアトリムの造形上、すなわち中接クロス１５の設置エリアを複雑な曲面状に設定することもでき、自動車用ドアトリム１０の造形自由度を高めることができる。
【００４２】
次に、図１６，図１７は、本発明に係る圧着用治具３０の別実施形態を示すもので、圧着用治具３０の支持テーブルとして反転テーブル２６が使用され、この反転テーブル２６の表裏面にそれぞれ仕様の異なる圧着用治具３０ａ，３０ｂが取り付けられており、この反転テーブル２６は、１８０°反転可能に両側の支持軸２７により治具セット台２１に支持されるという構成である。
【００４３】
従って、この圧着装置２００は、反転テーブル２６を１８０°反転操作することにより、それぞれ仕様の異なる圧着用治具３０ａ，３０ｂを使用できるため、作業スペースを節約できるという効果がある。
【００４４】
以上説明した実施形態は、自動車用ドアトリム１０のドアトリム本体１１に対する中接クロス１５の圧着加工方法並びにそれに使用する圧着用治具３０であるが、ワゴン車等のラゲージサイドトリムにおけるトリム本体にクロス、不織布等を素材とした装飾シートを圧着する方法についても適用でき、本発明は、上述した実施形態に限定されるものではない。
【００４５】
【発明の効果】
以上説明した通り、本発明に係る内装トリムにおける装飾シートの圧着方法並びに圧着用治具によれば、装飾シートを圧着用治具のセット型の型面に忠実にセットでき、カール変形や弛み、シワ等が生じることなく、良好にトリム本体に装飾シートを圧着処理することができ、装飾シートの圧着作業を手際良く行なえ、生産性を高めることができるとともに、製品の造形自由度を高めることができるという効果を有する。
【図面の簡単な説明】
【図１】本発明方法により製作した自動車用ドアトリムの斜視図である。
【図２】図１中II−II線断面図である。
【図３】図１に示す自動車用ドアトリムの構成を示す分解斜視図である。
【図４】本発明に係る圧着用治具を適用した圧着装置の構成を示す概要図である。
【図５】本発明に係る圧着用治具の平面図である。
【図６】本発明に係る圧着用治具の断面図である。
【図７】本発明方法における中接クロスのセット工程を示す説明図である。
【図８】本発明方法における中接クロスのセット状態を示すもので、（ａ）はセットガイドの位置を示す説明図、（ｂ）はセットガイドの位置を示す側面図である。
【図９】本発明方法における中接クロスの離型紙の剥離工程を示す説明図である。
【図１０】本発明方法におけるドアトリム芯材のセット工程を示す説明図である。
【図１１】本発明方法におけるブラケットの中接クロス巻込み処理工程を示す説明図である。
【図１２】本発明方法におけるドアトリム本体と中接クロスとの圧着工程を示す説明図である。
【図１３】本発明方法におけるドアトリム本体と中接クロスとの圧着工程を示す説明図である。
【図１４】本発明方法における中接クロスの巻込み処理工程を示すもので、（ａ）は巻込み範囲を示す説明図、（ｂ）は巻込み手順を示す説明図である。
【図１５】本発明方法におけるドアトリム本体と中接クロスとの本圧着工程を示す説明図である。
【図１６】本発明に係る圧着用治具の別実施形態を適用した圧着装置の構成を示す側面図である。
【図１７】図１６に示す圧着装置の構成を示す側面図である。
【図１８】従来の自動車用ドアトリムの斜視図である。
【図１９】従来の自動車用ドアトリムにおけるドアトリム本体と中接クロスとの圧着工程を示す説明図である。
【符号の説明】
１０  自動車用ドアトリム
１１  ドアトリム本体
１２  ウエストメンバー
１３  フロントエンド
１４  ドアポケット
１５  中接クロス（装飾シート）
１５ａ  粘着剤
１５ｂ  離型紙
１５ｃ  外周巻込み部
１６  ブラケット
２０，２００  圧着装置
２１  治具セット台
２２  ブロアセット台
２３  ブロア機
２４  足踏み式スイッチ
２５  配管
２６  反転テーブル
３０（３０ａ，３０ｂ）  圧着用治具
３１  支持テーブル
３２  セット型
３２ａ  空気室
３２ｂ  真空吸引孔
３３  セット受け
３３ａ  支持ロッド
３３ｂ  付勢スプリング
３４  ブラケット用セットガイド
３５  セットガイド
３６  クランプ
４０  圧着用下型
４１  圧着用上型
【図１】
0003781342.tif 000002
【図２】
0003781342.tif 000003
【図３】
0003781342.tif 000004
【図４】
0003781342.tif 000005
【図５】
0003781342.tif 000006
【図６】
0003781342.tif 000007
【図７】
0003781342.tif 000008
【図８】
0003781342.tif 000009
【図９】
0003781342.tif 000010
【図１０】
0003781342.tif 000011
【図１１】
0003781342.tif 000012
【図１２】
0003781342.tif 000013
【図１３】
0003781342.tif 000014
【図１４】
0003781342.tif 000015
【図１５】
0003781342.tif 000016
【図１６】
0003781342.tif 000017
【図１７】
0003781342.tif 000018
【図１８】
0003781342.tif 000019
【図１９】
0003781342.tif 000020